(57)【要約】【課題】小切手の入金処理と現品処理とを効率良く且つ確実に行うことが可能な小切手入金システムを提供する。【解決手段】小切手または現金と小切手との入金処理を行う現金処理機と、前記現金処理機と通信可能に接続され、小切手の情報を認識して小切手入金処理データを生成し、前記小切手の入金処理を行う小切手入金機とを備え、前記現金処理機が、前記小切手入金機から転送された前記小切手入金処理データを用いて小切手または現金と小切手との入金処理を行う小切手入金システムであって、前記現金処理機において前記小切手入金処理データの正当性が否定された場合に、該現金処理機は前記小切手入金機に対して前記小切手入金処理データの正当性の確認を促す確認指示情報を送出し、前記小切手入金処理データの確認指示情報を受信した場合に、前記小切手入金機において前記小切手入金処理データの正当性の確認処理を行う。【選択図】        図１−２
2006155531.tif 000002
【特許請求の範囲】
【請求項１】
小切手または現金と小切手との入金処理を行う現金処理機と、前記現金処理機と通信可能に接続され、小切手の情報を認識して小切手入金処理データを生成し、前記小切手の入金処理を行う小切手入金機とを備え、前記現金処理機が、前記小切手入金機から転送された前記小切手入金処理データを用いて小切手または現金と小切手との入金処理を行う小切手入金システムであって、
前記現金処理機において前記小切手入金処理データの正当性が否定された場合に、該現金処理機は前記小切手入金機に対して前記小切手入金処理データの正当性の確認を促す確認指示情報を送出し、
前記小切手入金処理データの確認指示情報を受信した場合に、前記小切手入金機において前記小切手入金処理データの正当性の確認処理を行うこと
を特徴とする小切手入金システム。
【請求項２】
前記小切手入金処理データの正当性の確認処理を行った結果、前記小切手入金処理データの正当性が認められない場合に、前記小切手入金機において前記小切手入金処理データを修正して修正小切手入金処理データを生成し、該修正小切手入金処理データを前記現金処理機に転送すること
を特徴とする請求項１に記載の小切手入金システム。
【請求項３】
前記現金処理機において前記修正小切手入金処理データの正当性が認められた場合に、前記現金処理機からの格納指示情報に基づいて前記小切手入金機が前記修正小切手入金処理データを格納し、前記小切手を自動分類収納すること
を特徴とする請求項２に記載の小切手入金システム。
【請求項４】
前記小切手入金処理データの正当性の確認処理を行った結果、前記小切手入金処理データの正当性が認められた場合に、前記小切手入金機が前記小切手入金処理データを格納せずに前記小切手を返却すること
を特徴とする請求項１に記載の小切手入金システム。
【請求項５】
前記現金処理機が、
前記格納指示情報と前記確認指示情報とを生成して前記小切手入金機に送信する指示情報送信手段と、
自機に投入された現金の現金計数を行って現金処理データを生成する現金計数手段と、
前記現金処理データおよび前記現金処理データと前記小切手入金処理データとから入金データを生成する入金データ生成手段と、
入金伝票の入金総額データを入力する入力手段と、
前記入金データと前記入金伝票の入金総額データとの照合を行う照合手段と、
前記小切手入金機とデータおよび情報の送受信を行う送受信手段と、
を備え、
前記小切手入金機が、
前記小切手を機内に取り込む取り込み手段と、
前記機内に取り込んだ小切手に記載されたデータを読み取って読み取りデータを生成する読み取り手段と、
前記読み取りデータを認識して認識データを生成する認識手段と、
前記認識データの正当性を前記現金処理機からの承認指示に基づいて承認して前記小切手入金処理データを生成する入金処理データ生成手段と、
前記小切手入金処理データの正当性の確認を行うとともに正当性が認められない場合に前記小切手入金処理データの修正を行って修正小切手入金処理データを生成する確認・修正手段と、
少なくとも前記認識データと前記小切手入金処理データと前記修正小切手入金処理データとを格納する格納手段と、
前記小切手を収納する収納手段と、
前記現金処理機とのデータの送受信を行う通信手段と
を備えることを特徴とする請求項１に記載の小切手入金システム。
【発明の詳細な説明】
【技術分野】
【０００１】
本発明は、金融機関等において小切手の入金処理に使用される小切手入金システムに関する。
【背景技術】
【０００２】
従来、銀行等の金融機関では、店内の現金の入出金を管理する現金処理機として出納機が設けられており、窓口担当者は出納機を用いて窓口の入出金機へ現金を回す回出金を行ったり、窓口の入出金機から回収してくる回入金を行ったりしている。また、渉外員は渉外先へ持ち出す出金処理や、渉外先から持ち帰った現金等の入金処理を行っている。
【０００３】
ところで、このような現金処理機では、現金を現金処理機に投入することにより現金の入金処理は行うことができるが、小切手の入金処理は現金処理機により行うことができない。このため、小切手については窓口で受け付けた後に、係員が入金データを取りまとめてキー入力することにより入金処理を行い、小切手の現品は手作業で分類処理を行うか、集中センター等において仕分け機で仕分けして管理していた。小切手のような有価証券の仕分けを行う技術としては、たとえば帳票認識処理部内の一時スタッカに収納された帳票を還流させて帳票の仕分けを行うようにした技術が開示されている（たとえば特許文献１参照）。
【０００４】
【特許文献１】特開２００１−６０１９号公報
【発明の開示】
【発明が解決しようとする課題】
【０００５】
しかしながら、従来の係員が入金データを取りまとめてキー入力する方法では、係員の計数ミスにより照合に時間がかかったり、入金処理と仕分け処理が異なる時間、場所で行われるため係員の作業が繁雑になるという問題がある。したがって、小切手についても入金処理を行う際に現品を一緒に処理できることが非常に効率的であり望ましいが、このような処理を実現させる技術は未だ開発されていないのが現状である。また、上記特許文献１のような技術においては、帳票のイメージデータから認識した情報が正確に認識されていない場合においても、認識した情報を修正する手段がない。したがって、イメージデータからの認識が正確に行われなかった場合には、帳票を一度装置外に排出して帳票の取り込み処理からやり直すことが必要になり、処理効率が低下するという問題がある。
【０００６】
この発明は、上記問題点に鑑みてなされたものであり、小切手の入金処理と現品処理とを効率良く且つ確実に行うことが可能な小切手入金システムを提供することを目的とする。
【課題を解決するための手段】
【０００７】
上述した課題を解決し、目的を達成するために、請求項１の発明にかかる小切手入金システムは、小切手または現金と小切手との入金処理を行う現金処理機と、現金処理機と通信可能に接続され、小切手の情報を認識して小切手入金処理データを生成し、小切手の入金処理を行う小切手入金機とを備え、現金処理機が、小切手入金機から転送された小切手入金処理データを用いて小切手または現金と小切手との入金処理を行う小切手入金システムであって、現金処理機において小切手入金処理データの正当性が否定された場合に、該現金処理機は小切手入金機に対して小切手入金処理データの正当性の確認を促す確認指示情報を送出し、小切手入金処理データの確認指示情報を受信した場合に、小切手入金機において小切手入金処理データの正当性の確認処理を行うことを特徴とする。
【０００８】
また、請求項２の発明にかかる小切手入金システムは、小切手入金処理データの正当性の確認処理を行った結果、小切手入金処理データの正当性が認められない場合に、小切手入金機において小切手入金処理データを修正して修正小切手入金処理データを生成し、該修正小切手入金処理データを現金処理機に転送することを特徴とする。
【０００９】
また、請求項３の発明にかかる小切手入金システムは、現金処理機において修正小切手入金処理データの正当性が認められた場合に、現金処理機からの格納指示情報に基づいて小切手入金機が修正小切手入金処理データを格納し、小切手を自動分類収納することを特徴とする。
【００１０】
また、請求項４の発明にかかる小切手入金システムは、小切手入金処理データの正当性の確認処理を行った結果、小切手入金処理データの正当性が認められた場合に、小切手入金機が小切手入金処理データを格納せずに小切手を返却することを特徴とする。
【００１１】
また、請求項５の発明にかかる小切手入金システムは、現金処理機が、格納指示情報と確認指示情報とを生成して小切手入金機に送信する指示情報送信手段と、自機に投入された現金の現金計数を行って現金処理データを生成する現金計数手段と、現金処理データおよび現金処理データと小切手入金処理データとから入金データを生成する入金データ生成手段と、入金伝票の入金総額データを入力する入力手段と、入金データと入金伝票の入金総額データとの照合を行う照合手段と、小切手入金機とデータおよび情報の送受信を行う送受信手段と、を備え、小切手入金機が、小切手を機内に取り込む取り込み手段と、機内に取り込んだ小切手に記載されたデータを読み取って読み取りデータを生成する読み取り手段と、読み取りデータを認識して認識データを生成する認識手段と、認識データの正当性を現金処理機からの承認指示に基づいて承認して小切手入金処理データを生成する入金処理データ生成手段と、小切手入金処理データの正当性の確認を行うとともに正当性が認められない場合に小切手入金処理データの修正を行って修正小切手入金処理データを生成する確認・修正手段と、少なくとも認識データと小切手入金処理データと修正小切手入金処理データとを格納する格納手段と、小切手を収納する収納手段と、現金処理機とのデータの送受信を行う通信手段とを備えることを特徴とする。
【発明の効果】
【００１２】
請求項１の発明によれば、現金処理機において小切手入金処理データの正当性が否定された場合に、現金処理機は小切手入金機に対して小切手入金処理データの正当性の確認を促す確認指示情報を送出し、小切手入金処理データの確認指示情報を受信した場合に、小切手入金機において小切手入金処理データの正当性の確認処理を行うように構成したので、現金処理機において小切手入金処理データの正当性が否定された場合においても、一度生成した小切手入金処理データをすぐに破棄することなく小切手入金処理データの正当性を確認した後に後処理を決定して所定の入金処理を行うことができるため、処理を簡略化して効率の良い入金処理を行うことができるという効果を奏する。
【００１３】
また、請求項２の発明によれば、小切手入金処理データの正当性の確認処理を行った結果、小切手入金処理データの正当性が認められない場合に、小切手入金機において小切手入金処理データを修正して修正小切手入金処理データを生成し、該修正小切手入金処理データを現金処理機に転送するように構成したので、小切手入金処理データを破棄することなく有効に活用することができ、処理を簡略化して効率の良い入金処理を行うことができるという効果を奏する。
【００１４】
また、請求項３の発明によれば、現金処理機において修正小切手入金処理データの正当性が認められた場合に、現金処理機からの格納指示情報に基づいて小切手入金機が修正小切手入金処理データを格納し、小切手を自動分類収納するように構成したので、小切手入金処理データを破棄することなく有効に活用することができ、処理を簡略化して効率の良い入金処理を行うことができるという効果を奏する。
【００１５】
また、請求項４の発明によれば、小切手入金処理データの正当性の確認処理を行った結果、小切手入金処理データの正当性が認められた場合に、小切手入金機が小切手入金処理データを格納せずに小切手を返却するように構成したので、小切手入金機においては小切手入金処理データの正当性が認められたが現金処理機においては小切手入金処理データの正当性が否定された小切手の入金処理及び収納を確実に防止することができるという効果を奏する。
【００１６】
また、請求項５の発明によれば、現金処理機が、格納指示情報と確認指示情報とを生成して小切手入金機に送信する指示情報送信手段と、自機に投入された現金の現金計数を行って現金処理データを生成する現金計数手段と、現金処理データおよび現金処理データと小切手入金処理データとから入金データを生成する入金データ生成手段と、入金伝票の入金総額データを入力する入力手段と、入金データと入金伝票の入金総額データとの照合を行う照合手段と、小切手入金機とデータおよび情報の送受信を行う送受信手段とを備え、小切手入金機が、小切手を機内に取り込む取り込み手段と、機内に取り込んだ小切手に記載されたデータを読み取って読み取りデータを生成する読み取り手段と、読み取りデータを認識して認識データを生成する認識手段と、認識データの正当性を前記現金処理機からの承認指示に基づいて承認して小切手入金処理データを生成する入金処理用データ生成手段と、小切手入金処理データの正当性の確認を行うとともに正当性が認められない場合に小切手入金処理データの修正を行って修正小切手入金処理データを生成する確認・修正手段と、少なくとも認識データと小切手入金処理データと修正小切手入金処理データとを格納する格納手段と、小切手を収納する収納手段と、現金処理機とのデータの送受信を行う通信手段とを備えるように構成したので、一度生成した小切手入金処理データをすぐに破棄することなく小切手入金処理データの正当性を確認した後に後処理を決定して所定の入金処理を行うことができるため、処理を簡略化して効率の良い入金処理を行うことができるという効果を奏する。
【発明を実施するための最良の形態】
【００１７】
以下に添付図面を参照して、本発明にかかる小切手入金システムの好適な実施例を説明する。なお、本発明は以下の記述に限定されるものではなく、本発明の要旨を逸脱しない範囲において適宜変更可能である。
【実施例】
【００１８】
図１−１は、小切手入金機１および該小切手入金機１と情報伝達可能に接続された現金処理機２００からなる本実施例にかかる小切手入金システムの外観構成例を示す斜視図である。図１−２は、本実施例にかかる小切手入金機１の概略構成を説明する図である。また、図１−３は、本実施例にかかる現金処理機２００が備える構成部を説明する図である。図１−１および図１−２に示すようにこの小切手入金機１は、小切手挿入口１１と繰り出しローラ１２とホッパ１３とを備える取り込み部１０と、搬送路２０と、読み取り・認識部３０と、一時保留部４０と、エンドーサ５０と、複数のスタッカ６０と、収納ローラ６１と、主制御部７０と、格納部８０と、修正部９０と、入金処理データ生成部１００と、収納・排出選択部１１０と、リジェクト・排出部１２０と、排出ローラ１２１と、定形外収納部１３０と、表示部１４０と、操作部１５０と、通信部１６０と、入金モード選択部１７０と、を備えている。
【００１９】
取り込み部１０には、小切手挿入口１１から挿入された１枚または複数の小切手がホッパ１３にセットされ、セットされた小切手が繰り出しローラ１２により１枚ずつ繰り出されて小切手入金機１内に取り込まれる。小切手入金機１内に取り込まれた小切手は、該小切手入金機１内を搬送路２０により１枚ずつ搬送される。ここで、この小切手入金機１が処理対象とする小切手は、たとえば法人小切手のような通常の定型小切手、個人小切手やキャリアエンベロップ入り小切手などの特殊小切手などが挙げられる。
【００２０】
読み取り・認識部３０は、イメージスキャナなどの光学的文字読み取り手段を有し、入金処理対象となる小切手の表面に記載された情報のイメージ画像を読み込んで装置内に取り込むための入力部として機能する。たとえば図２に示すように小切手１８０のイメージ画像を光学的に読み込んで読み取りデータとしてイメージ画像データを生成する。そして、読み取り・認識部３０は、読み込んだイメージ画像データを格納部８０に出力する。ここで読み取り・認識部３０は、帳票の表面と裏面の両面に情報が記載されている場合には、両面のイメージ画像を読み込んで格納部８０に出力する。
【００２１】
また、読み取り・認識部３０は、例えばＯＣＲ（Optical Character Reader）などのような文字認識手段を有し、読み込んだ小切手のイメージ画像データから文字を識別し文書に変換して認識する認識手段として機能する。読み取り・認識部３０は、読み取りデータであるイメージ画像データからＯＣＲにより文字認識し、認識データを生成し、該認識データを格納部８０に出力する。上述では、説明の便宜上読み取り・認識部３０に文字認識手段を有している場合を説明したが、通常は光学的文字読み取り機能と文字認識機能とをそれぞれ別個の機能部として備えた構成とされる。
【００２２】
一時保留部４０は、読み取り・認識部３０において認識データを生成した小切手をスタッカ６０収納するまで、またはリジェクト・排出部１２０に返却もしくは排出するまで一時的に保留する保留部である。ここで、返却とは、入金処理が正常に行えない場合に、該当する小切手を機外に戻すことである。また、排出とは、入金処理が正常に行える場合において定形外の特殊形状の小切手や所望の小切手を機外に戻すことである。
【００２３】
この一時保留部４０には、読み取り・認識部３０においてイメージ画像データを生成した時点で先に一時保留部４０に小切手を保留し、その後に認識データの生成を行うことができる。これにより、大量の小切手を取り込み、認識データの生成に時間を要する場合であっても、イメージ画像データを生成した時点で次の小切手を取り込んで連続した処理が可能となり、効率的に入金処理を行うことができる。また、一時保留部４０に小切手を保留しておくことにより、生成した認識データの確認、修正を一括して行うことができる。
【００２４】
ここで、小切手を一時的に保留する一時保留部４０について説明する。図３に一時保留部４０の一構成例を説明する断面図を示す。ここでは、一時保留部４０をカセット構造とした場合の例を示している。このカセット３０１は箱形に形成され、一側面の上方位置に小切手Ｐを長手方向として出入り可能とする横長スリット状の小切手出入口３０２が開口されている。また、この構成例では２本のテープＴＡ、ＴＢ（以下、２本のテープを総称してテープＴと呼ぶ場合がある）を使用し、該テープＴＡとテープＴＢとの間に小切手Ｐを長手方向に挟んで収納するように構成した場合を示している。テープＴには、たとえば一軸延伸テープが用いられる。また、テープＴの表面は、シリコン等のコーティングが施されて粘着物付着によるジャミングの発生が防止されていることが好ましい。
【００２５】
図３に示すように小切手出入口３０２の内部直近位置には、テープＴＡ、ＴＢが経由するローラ３０３Ａ、３０３Ｂが上下に対向して設けられている。また、この上側に設けられたローラ３０３Ａの奥側および下側に設けられたローラ３０３Ｂの下方側には、たとえば図４に示すようにテープ用のガイドフランジが設けられたリール状を呈する第１の巻取りローラ３０４Ａおよび第１の巻取りローラ３０４Ｂがそれぞれ第１の巻取り軸３０５Ａ、第１の巻取り軸３０５Ｂにテンション付加用トルクリミッタ３０６Ａ、テンション付加用トルクリミッタ３０６Ｂを介して取付けられている。また、第１の巻取りローラ３０４Ａおよび第１の巻取りローラ３０４Ｂの近傍には、アイドラ３０９Ａ、３０９Ｂが配置されている。
【００２６】
上記第１の巻取りローラ３０４Ａ、３０４Ｂの間の略中央位置には、小切手幅と同等またはそれ以上の長さの軸長を有する第２の巻取りローラ３０７が第２の巻取り軸３０８に支持されている。図５は、第２の巻取りローラ３０７への小切手Ｐの収納を説明するための要部斜視図である。この第２の巻取りローラ３０７に巻かれたテープＴＡ、ＴＢは、前記のローラ３０３Ａ、３０３Ｂ、アイドラ３０９Ａ、３０９Ｂを経由して第１の巻取りローラ３０４Ａ、３０４Ｂにそれぞれ導かれる。
【００２７】
なお、図５においてはテープＴＡおよびテープＴＢのテープ幅が小切手幅の略１／３程度に示されているが、このテープ幅は特に限定されるものではなく、小切手を確実にテープＴＡおよびテープＴＢにより挟み込んで収納および繰り出しができる幅であれば適宜設定可能である。なお、小切手に印紙等が貼付されることを考慮した場合には、テープＴＡおよびテープＴＢのテープ幅は、印紙等が貼付される部分をテープＴＡおよびテープＴＢで覆うことができる幅とすることが好ましい。テープＴＡおよびテープＴＢのテープ幅をこのような幅とすることにより、印紙等の剥がれ等を防止して小切手の収納および繰り出しを行うことができる。
【００２８】
図３および図５に示すように第２の巻取りローラ３０７の外周には、小切手Ｐの有無を検知するためのセンサＳ1が第２の巻取りローラ３０７の外周面から所定の距離を隔てて配置されている。これにより、１枚の小切手Ｐが第２の巻取りローラ３０７に巻付いていてもこれを検知することができるようになっている。
【００２９】
そのほかカセット３０１内には、図３に示すようにローラ３０３Ａ、３０３Ｂと第２の巻取りローラ３０７との間にテープＴを挟んで設けられた一対の小切手検知用センサＳ2、ローラ３０３Ａとアイドラ３０９Ａとの間にテープＴを挟んで設けられたテープＴの両終端検知用センサＳ3が配置されている。
【００３０】
また、カセット３０１の小切手出入口３０２の外部には、小切手出入口３０２への小切手Ｐの繰込みまたは取出しのための搬送装置３１０が配設されている。この搬送装置３１０は、たとえば上下一対のベルトまたはローラ列により構成することができる。
【００３１】
このように構成された一時保留部４０内に小切手を納入する場合は、図３に示すように図示しない駆動系により第２の巻取り軸３０８を同図において時計方向（矢印方向）に回動させる。これにより第２の巻取りローラ３０７は時計方向（矢印方向）に回動し、テープＴが該第２の巻取りローラ３０７に巻き取られる。このとき第２の巻取り軸３０８の回転速度はテープＴＡ、ＴＢの巻取り速度Ｖ1 が搬送装置３１０の搬送速度Ｖ2 より大きくなるように設定され、小切手Ｐを引き込むよう作用することにより、帳票のジャムが防止される。
【００３２】
また、第２の巻取りローラ３０７によりテープＴＡ、ＴＢを巻取る際、第１の巻取りローラ３０４Ａ、３０４ＢはテープＴの引張り作用により反時計方向に回転しようとするが、第１の巻取りローラ軸３０５Ａ、３０５Ｂが反時計方向には回転しないのでテープＴＡ、ＴＢにテンションが発生する。そして、このテンションが所定以上になるとトルクリミッタ３０６Ａ、３０６Ｂに所定以上のトルクがかかり、第１の巻取りローラ３０４Ａ、３０４Ｂが反時計方向（矢印方向）に回転するようになる。その結果、テープＴＡ、ＴＢには常にトルクリミッタの設定トルクに応じたテンションが付与されることになる。
【００３３】
このようにして、収納すべき小切手Ｐの収納が終了すると駆動系が停止される。また、このとき、収納された小切手Ｐの枚数は小切手検知用センサＳ2 によってカウントされる。そして、小切手Ｐの収納指令がある毎に上記作用を繰り返して小切手Ｐを収納していくが、小切手Ｐの収納が進んで所定量を収納すると、テープＴの終端がセンサＳ3 により検知され、それ以上の受収を停止する。これによりテープＴの破損等を防止して、確実に帳票を収納することができる。
【００３４】
小切手Ｐを排出する場合は、図示しない駆動系により図６に示すように第２の巻取り軸３０８が同図において反時計方向（矢印方向）に回動し、第２の巻取りローラ３０７を反時計方向（矢印方向）に回転させてテープＴＡ、ＴＢを巻戻していく。また、このとき、第１の巻取り軸３０５Ａ、３０５ＢにはこのテープＴＡ、ＴＢが巻き戻される速度よりも速い巻き取り速度の動力が駆動系から与えられる。これにより、テープＴＡ、ＴＢの巻戻される速度よりも速い速度で第１の巻取りローラ３０４Ａ、３０４ＢがテープＴＡ、ＴＢを巻取ろうとするので、テープＴＡ、ＴＢはたるむことがなくテープＴＡ、ＴＢにテンションが生じる。そして、そのテンションが所定以上になるとトルクリミッタ３０６Ａ、３０６Ｂに所定以上のトルクがかかり、滑りを生じることになる。その結果、テープＴＡ、ＴＢには常にトルクリミッタ３０６Ａ、３０６Ｂの設定トルクに応じたテンションが付与されることになる。
【００３５】
このようにして、テープＴＡ、ＴＢが第２の巻取りローラ３０７から巻戻されていくのにつれてテープＴＡ、ＴＢ間の小切手Ｐは小切手出入口３０２から投出され、搬送装置３１０へ受け渡される。そして、排出されるべき枚数の小切手Ｐが小切手検知用センサＳ2 で検知されると駆動系が停止され、小切手の一時保留部からの排出が終了する。そして、小切手Ｐの排出指令がある毎に上記動作を繰り返して小切手Ｐを排出していくが、小切手Ｐがすべて排出されてしまうと、センサＳ1 が「小切手未収納状態」を検出して、第２の巻取りローラ３０７に収納されている小切手が無くなったことを制御装置側へ知らせる。この小切手の排出時にはテープＴの速度Ｖ1 と搬送装置３１０の搬送速度Ｖ2 の関係はＶ1 ＜Ｖ2 とされ、Ｖ2 の方が所定量だけ大きくされており、帳票のジャムを防止しながら小切手Ｐを引き抜くように作用する。
【００３６】
上記のようなテープを用いた一時保留部４０を用いることにより、小切手の収納処理と、収納した小切手の排出処理とを１つの機構で行うことができ、低コスト化を図ることができる。また、小切手を２本のテープに挟んだ状態で収納し、排出するため、複数の小切手を１度に排出してしまうことを防止することができる。
【００３７】
図１の説明に戻って、エンドーサ５０は、一時保留部４０の直近の搬送路２０に設けられる。エンドーサ５０は、一時保留部４０から排出される小切手であって、後述するように認識データが承認されてスタッカ６０に収納される小切手、または認識データが承認されてリジェクト・排出部１２０に排出される小切手に管理通番や日付等を印刷する。この管理通番は、後述する承認データである小切手入金処理データと小切手とを対応付けて付与される管理番号であり、この管理通番を用いることにより、小切手から該当する小切手入金処理データを特定することができ、また、小切手入金処理データから該当する小切手を特定することができる。
【００３８】
スタッカ６０は、一時保留部４０に一時的に保留し、認識データが承認された小切手を収納する収納手段である。小切手は一時保留部４０から搬送路２０により搬送され、搬送路２０のスタッカ６０側の終端に設けられた収納ローラ６１によりスタッカ６０に収納される。この小切手入金機１においてはスタッカ６０として、スタッカ６０Ａ、スタッカ６０Ｂ、スタッカ６０Ｃの３つのスタッカを備えている。このように複数のスタッカ６０Ａ、６０Ｂ、６０Ｃを備えることにより、スタッカ毎に予め設定された所定の小切手が仕分け収納される。なお、ここでは、３つのスタッカ６０Ａ、６０Ｂ、６０Ｃを備える場合について説明しているが、スタッカ６０の数はこれに限定されるものではなく、適宜変更可能である。
【００３９】
主制御部７０は、格納部８０に格納された各種プログラムに従って小切手入金機１全体の処理動作を制御する。格納部８０は、読み取りデータである小切手のイメージ画像データと、小切手の認識データと、小切手入金処理データと、を格納するデータ格納手段である。また、格納部８０は、装置全体の処理に用いられる各種プログラム等を格納している。この小切手入金機１においては、格納部８０に小切手入金処理データが格納され、小切手のスタッカ６０への収納、またはリジェクト・排出部１２０への排出が終了することにより、小切手入金機１における小切手の入金処理が終了する。なお、格納部８０の容量が少ない場合には、イメージ画像データは格納せずに、認識データと入金処理用データのみを格納するようにしても良い。
【００４０】
修正部９０は、読み取り・認識部３０が認識して格納部８０に格納した小切手の認識データを確認・修正する修正手段である。また、修正部９０は、現金処理機２００での入金データと入金伝票の入金総額データとの照合の結果、入金データと入金伝票の入金総額データが一致しない場合に、小切手入金処理データ（認識データ）の確認・修正を行う修正手段である。認識データ（小切手入金処理データ）の確認・修正を行う場合には、該当する小切手のイメージ画像データと認識データ（小切手入金処理データ）とを表示部１４０に表示させ、これらを目視で比較することで認識データの正当性の確認を行い、認識の間違いがある場合には操作部１５０を用いて認識データの修正を行う。
【００４１】
入金処理データ生成部１００は、認識データの正当性を示す承認指示に基づいて承認して小切手入金処理データを生成する入金処理データ生成手段である。ここで、承認指示はたとえば後述するように「ＯＣＲ結果確認」の画面において「確認完了」のボタンの選択によりなされる指示が挙げられる。収納・排出選択部１１０は、機内に取り込んだ小切手を収納手段に収納する収納モードまたは機内に取り込んだ小切手をリジェクト・排出部１２０に外部排出する排出モードをたとえば入力ボタンなどの操作部１５０での入力による情報に基づいて選択する選択手段である。
【００４２】
リジェクト・排出部１２０には、入金処理が正常に行えない場合に該当する小切手が返却され、また、入金処理が正常に行える場合において定形外の特殊形状の小切手や所望の小切手が排出される。小切手は搬送路２０によりリジェクト・排出部１２０に搬送されるが、搬送路２０のリジェクト・排出部１２０側の終端には排出ローラ１２１が設けられており、該排出ローラ１２１によりリジェクト・排出部１２０に投出される。
【００４３】
定形外収納部１３０には、リジェクト・排出部１２０に排出され、入金処理が正常に終了した定形外の特殊形状の小切手が収納される。この小切手入金機１においては、リジェクト・排出部１２０に排出された定形外の小切手を係員が定形外収納部１３０に投入する構成とされているが、搬送路２０を定形外収納部１３０に接続して該定形外収納部１３０に収納する小切手を自動搬送して収納する構成とすることも可能である。
【００４４】
表示部１４０は、小切手入金機１の処理における操作画面や、読み取りデータ、認識データ、承認データなどのデータ類などを表示する。操作部１５０は、小切手入金機１の操作において係員が各種情報等を入力する入力手段であり、該操作部１５０としてキーボードを備えるが、この他にも表示部１４０に備えられたタッチパネル機能など用いることができる。通信部１６０は、外部機器との間の指示情報、データ情報などの各種情報の送受信を行う。
【００４５】
入金モード選択部１７０は、連動入金モードまたはローカル入金モードを外部からの情報に基づいて選択する選択手段である。ここで、連動入金モードとは、小切手入金機１において小切手入金処理データの生成の後、現金処理機２００において該小切手入金処理データと現金処理データと合算入金し、さらに該小切手入金処理データの格納および小切手の収納を行うモードである。すなわち、連動入金モードは、小切手入金機１における小切手の取り込みから現金処理機２００における現金処理データと合算入金、さらに小切手入金処理データの格納および小切手の収納を連続処理で行うモードである。また、連動入金モードにおいては、現金処理データと有価証券入金処理用データとを合算する入金処理だけではなく、有価証券入金処理用データのみでの入金処理も連続処理で行うことができる。
【００４６】
一方、ローカル入金モードとは、小切手入金機１において小切手入金処理データの生成の後、現金処理機２００において該小切手入金処理データと現金処理データと合算入金を行わずに該小切手入金処理データの格納および小切手の収納を行って小切手入金機１における処理を一旦終了し、その後に現金処理機２００において合算入金を行う入金モードである。すなわち、ローカル入金モードは、第１のステップで小切手入金機１内での入金処理のみを終了させ、任意の時間の経過後に第２のステップとして現金処理機２００における現金処理データと合算入金を行うモードである。したがって、連動入金モードとローカル入金モードとは、小切手入金処理データの格納のタイミングが異なる。
【００４７】
現金処理機２００は、結束された１００枚単位毎の束紙幣を処理する束紙幣処理部２１０および１枚ずつのバラ紙幣を処理するバラ紙幣処理部２２０で成る紙幣処理機２３０と、５０枚単位に包装された包装硬貨を出金処理する包装硬貨出金機２４０と、バラ硬貨を処理するバラ硬貨処理機２５０とを備えて構成されている。束紙幣処理部２１０には、束紙幣を出金するための束紙幣出金口２１１、束紙幣を機外へ放出さるための機外放出口２１２が設けられている。また、バラ紙幣処理部２２０にはバラ紙幣を入金するための入金口２２１、バラ紙幣を出金するための出金口２２２が設けられ、紙幣処理機２３０の上部には出金口２３２を有する新券出金機２３１が設置されている。
【００４８】
包装硬貨出金機２４０の上部には伝票や通帳等の印字を行うプリンタ２４１が設けられ、包装硬貨を出金する包装硬貨出金口２４２が設けられている。また、バラ硬貨処理機２５０の上部にはバラ硬貨を受入れる硬貨入金口２５１が設けられると共に、オペレータに案内やデータ等を表示する表示部２５２、ＩＤカードを挿入して処理するカードリーダ２５３が設けられている。バラ硬貨処理機２５０の前面には、バラ硬貨を返却するための返却口２５５が設けられている。更に、包装硬貨出金機２４０およびバラ硬貨処理機２５０の上部には、係員が操作する操作部としてのキーボード２５４が設けられている。
【００４９】
また、現金処理機２００には、図１−３の機能ブロック図に示すように指示情報処理部２６１と、現金計数部２６２と、入金データ生成部２６３と、照合部２６４と、通信部２６５と、格納部２６６と、主制御部２６７とを備えている。指示情報処理部２６１は、小切手入金機１に対して小切手入金処理データの転送指示情報と小切手入金処理データの格納指示情報と、小切手入金処理データの確認指示情報とを生成して小切手入金機１に送信する。ここで、小切手入金処理データの確認指示情報は、後述するように入金データと入金伝票の入金総額データとが一致しない場合、すなわち現金処理機２００において小切手入金処理データの正当性が否定された場合に、小切手入金機１における小切手入金処理データの確認を促す為に生成される指示情報である。現金計数部２６２は、自機に投入された現金の現金計数を行って現金処理データを生成する。入金データ生成部２６３は、現金処理データと小切手入金処理データとを合算して入金データを生成する。照合部２６４は、入金データと入金伝票に記載された入金総額データとの照合を行う。通信部２６５は、小切手入金機１との間でデータおよび情報の送受信を行う。格納部２６６は、入金伝票に記載された現金と小切手との入金総額データおよび現金処理データと小切手入金機１から転送された小切手入金処理データ並びに装置全体の処理に用いられる各種プログラム等を格納するデータ格納手段である。主制御部２６７は、格納部に格納された各種プログラムに従って現金処理機２００全体の処理動作を制御する。
【００５０】
このように構成された現金処理機２００は、自機に投入された現金の計数を行って該現金の入金データである現金処理データを生成するとともに、小切手入金機１から小切手入金処理データを受け取り、現金処理データと小切手入金処理データとを用いて現金と小切手とを合算した入金処理を行う。また、現金処理データと有価証券入金処理用データとを合算する入金処理だけではなく、有価証券入金処理用データのみでの入金処理も行うことができる。
【００５１】
つぎに、以上のように構成された本実施例にかかる小切手入金システムの動作について、定型小切手の入金処理を行う場合を例に説明する。以下では、図７〜図１１を用いて連動入金モードでの定型小切手の入金処理について説明する。図７は、連動入金モードでの小切手入金機１および現金処理機２００における処理手順を示すフローチャートである。また、図８〜図１１は小切手入金機１で入金処理中の表示部１４０の表示画面の一例を示した図である。
【００５２】
まず、係員は、小切手入金機１の電源を投入する。電源を投入すると、表示部１４０にはたとえば図８に示すような「メインメニュー」の画面が表示される。係員は、操作部１５０のキーボードを用いて表示画面の「１．小切手入金」のボタンを選択する。「１．小切手入金」のボタンを選択すると、表示部１４０の画面には図９に示すような「モード選択」の画面が表示される。
【００５３】
つぎに、係員は、入金処理対象である小切手として複数の定型小切手を小切手挿入口１１から挿入してホッパ１３にセットする。そして、係員は、図９に示す「モード選択」の画面において、入金処理のスタートボタンとなる「１．連続スキャン（収納）」のボタンを選択する。ここで、「連続スキャン（収納）」とは小切手を連続的に機内に取り込み、データの読み込み、認識を行い、最後に小切手をスタッカ６０に収納するモードである。この「連続スキャン（収納）」モードを選択することにより、１枚ずつの入金処理ではなく、複数枚の定型小切手の入金処理を連続して行うことができ、効率的に入金処理を行うことができる。ここでは、上述したように小切手の入金処理を連続して行うので、まず、「連続スキャン（収納）」のボタンを選択すると、繰り出しローラ１２が動作してホッパ１３にセットした定型小切手を１枚ずつ小切手入金機１に取り込み始める（ステップＳ１０１）。
【００５４】
小切手入金機１内に取り込まれた定型小切手は、搬送路２０に沿って搬送され、読み取り・認識部３０であるイメージスキャナに搬送される。定型小切手が読み取り・認識部３０に搬送されると、読み取り・認識部３０（イメージスキャナ）は定型小切手の表面に記載された情報のイメージ画像データの読み込みを開始し、読み込んだイメージ画像データを格納部８０に出力する。格納部８０では、読み込んだイメージ画像データを格納する。つぎに、格納部８０に定型小切手のイメージ画像データが格納されると、読み取り・認識部３０は格納部８０に格納されたイメージ画像データからＯＣＲにより文字を識別して認識データを生成し、該認識データを格納部８０に出力する。格納部８０ではこの認識データを格納する（ステップＳ１０２）。
【００５５】
そして、認識データの格納が終了した定型小切手は一時保留部４０に搬送され、収納、保留される（ステップＳ１０３）。また、定型小切手の一時保留部４０への収納動作とともに、ホッパ１３にセットされた次の定型小切手の機内への取り込みを行い、全ての定型小切手を機内に取り込んで一時保留部４０に保留するまで上記のステップＳ１０１〜ステップＳ１０３を繰り返す。なお、図７および上記の説明においては、説明の便宜上ステップＳ１０１〜ステップＳ１０３をステップ毎に分けて模式的に説明しているが、実際にはステップＳ１０１〜ステップＳ１０３は連続的に処理がなされる。
【００５６】
ホッパ１３にセットされた定型小切手が全て機内に取り込まれた後に、図９に示す「モード選択」の画面において「３．ＯＣＲ結果確認」のボタンを選択する。「３．ＯＣＲ結果確認」のボタンを選択すると、図１０に示すように「ＯＣＲ結果確認」の画面のイメージ画像データ欄１２０−１と認識データ欄１２０−２とに、一時保留部４０に保留している定型小切手のイメージ画像データと認識データとを表示する。
【００５７】
係員は、この画面において認識データの正当性の確認・修正を行う。認識データの確認は、図１０に示すように「ＯＣＲ結果確認」の画面でイメージ画像データ欄１２０−１と認識データ欄１２０−２との表示を目視で比較することで行う。認識データの正当性を確認した結果、認識データの間違いが認められた場合または認識されていない項目がある場合には、認識データ欄１２０−２の修正したい項目を選択して修正データを入力する。修正部９０は、この入力に基づいて認識データの修正を行う。その後、認識データの承認指示である「確認完了」のボタンを選択し、「登録」のボタンを選択する。入金処理データ生成部１００ではこの認識データの正当性を示す承認指示に基づいて、修正された認識データを承認し、該承認された認識データは小切手入金処理データとして生成される。これにより、入金する小切手の明細が確定する（ステップＳ１０４）。なお、「確認完了」のボタンと「登録」のボタンとを１つのボタンとして設けても良い。そして、「確認完了」のボタンを選択して明細が確定すると、図１１に示すような連動入金モードとローカル入金モードとの選択を指示する「収納処理選択」の画面が表示される。ここでは連動入金モードを選択するので、画面の指示に従って現金処理機２００に移動して操作を続ける。また、「収納処理選択」の画面において連続入金モードを選択するための「連続入金」という選択ボタンを設けても良い。
【００５８】
また、イメージ画像データ欄１２０−１と認識データ欄１２０−２との表示を比較して認識データの正当性を確認した結果、認識データの正当性が確認された場合、すなわちＯＣＲによる認識が正常に行われている場合には、認識データの修正は行わずに認識データの承認指示である「確認完了」のボタンを選択し、「登録」のボタンを選択する。入金処理データ生成部１００ではこの承認指示に基づいて、ＯＣＲにより認識された認識データを承認し、該承認された認識データから小切手入金処理データが生成される。これにより、入金する小切手の明細が確定する（ステップＳ１０４）。なお、「確認完了」のボタンと「登録」のボタンとを１つのボタンとして設けても良い。そして、「確認完了」のボタンを選択して明細が確定すると、上記の場合と同様に図１１に示すような「収納処理選択」の画面が表示される。ここでは連動入金モードを選択するので、画面の指示に従って現金処理機２００に移動して操作を続ける。
【００５９】
連動入金モードにより処理を続行する場合には、つぎに現金処理機２００側の処理に移る。係員は現金処理機２００側に移動し、カードリーダ２５３にＩＤカードを挿入して認証を得た後（ステップＳ２０１）、入金伝票に記載された現金と小切手との入金総額データをキーボード２５４を用いて入力する。これにより、入金伝票に記載された現金と小切手との入金総額データが現金処理機２００に取り込まれる（ステップＳ２０２）。現金処理機２００では、入金伝票の入金総額データが入力されると、指示情報処理部２６１において小切手入金処理データの転送指示情報を生成し、通信部２６５を介して該転指示情報を小切手入金機１に送信する（ステップＳ２０３）。また、係員は現金処理機２００に入金する現金を投入し、現金処理機２００では現金計数部２６２において現金計数を行って現金処理データを生成する（ステップＳ２０４）。
【００６０】
小切手入金機１側の処理に戻ると、小切手入金機１では小切手入金処理データの転送指示情報を受信し、該転送指示情報に従って小切手入金処理データを現金処理機２００に転送してデータ計上を行う（ステップＳ１０５）。ここで、この小切手入金機１においては、小切手入金処理データの転送指示情報の受信が連動入金モードの選択処理とされており、該転送指示情報が受信されると小切手入金機１は入金モード選択部１７０において連動入金モードを選択して処理を継続する。
【００６１】
現金処理機２００では、小切手入金機１から転送された小切手入金処理データを受信すると、入金データ生成部２６３において現金処理データと小切手入金処理データとを合算して入金データを生成し、照合部２６４において該入金データと入金伝票の入金総額データとの照合を行い、一致するか否かを判断する（ステップＳ２０５）。なお、本実施例では現金処理データと小切手入金処理データとを合算する例を示しているが、小切手入金処理データのみでの合算で行う場合もある。ここで、入金データと入金伝票の入金総額データとが一致する場合は（ステップＳ２０５肯定）、指示情報処理部２６１において小切手入金処理データの格納指示情報を生成して通信部２６５を介して小切手入金機１に送信する（ステップＳ２０６）。
【００６２】
小切手入金機１では、現金処理機２００から送信された小切手入金処理データの格納指示情報を受信して、該格納指示情報に従って小切手入金処理データを格納部８０に格納し（ステップＳ１０６）、さらに一時保留部４０に保留した定型小切手にエンドーサ５０で管理通番、日付等を印字して指定された所定のスタッカ６０に収納する（ステップＳ１０７）。以上のように、格納部８０への小切手入金処理データの格納、および一時保留部４０に保留した定型小切手のスタッカ６０への収納が終了することにより、小切手入金機１における定型小切手の入金処理が終了する。
【００６３】
また、現金処理機２００では、入金データを格納部２６６に格納することにより現金処理機２００における現金と定型小切手との合算入金処理が終了する（ステップＳ２０７）。なお、格納部２６６に格納された入金データは、たとえば図示しない勘定系形端末に送信される。
【００６４】
ここで、定型小切手を収納するスタッカ６０においては、複数のスタッカ６０のそれぞれを個別の小切手収納用に指定することができる。たとえば銀行においてこの小切手入金機１により定型小切手の入金処理を行う場合には、スタッカ６０Ａを交換課行きの小切手収納用スタッカ、スタッカ６０Ｂを集中課行きの小切手収納スタッカ、スタッカ６０Ｃを自店保留の小切手収納用スタッカ、と３種類に分けて指定することができる。ここで、交換課行きの小切手収納用スタッカ（スタッカ６０Ａ）は、通常の小切手を収納するスタッカである。また、集中課行きの小切手収納用スタッカ（スタッカ６０Ｂ）は、先日付小切手を収納するスタッカポケットである。そして、自店保留の小切手収納用スタッカ（スタッカ６０Ｃ）は、上記の交換課行きの小切手収納用スタッカ（スタッカ６０Ａ）および集中課行きの小切手収納用スタッカ（スタッカ６０Ｂ）に収納しない全ての小切手を収納するスタッカである。このように、複数のスタッカ６０のそれぞれを個別の小切手収納用に指定することにより、入金処理した小切手を自動分類して収納することが可能である。これにより、係員の手作業による小切手の分類処理が不要となり、係員の行う作業を低減することができる。また、小切手入金機１内において入金処理とともに分類処理がなされるため、効率良く小切手の入金処理と分類処理を行うことが可能である。なお、図示していないが、上記のスタッカ６０の指定は表示部１４０や操作部１５０を利用して行うことができる。
【００６５】
また、この小切手入金機１においては、取り込み部１０にセットした順番で定型小切手をスタッカ６０に収納することができる。取り込み部１０においてはセットされた定型小切手を、上部に位置する定型小切手から順に小切手入金機１内に取り込み、一時保留部４０では、小切手入金機１に取り込まれた順番で定型小切手を収納して一時保留し、収納した順番と逆の順番で定型小切手を排出する。そして、スタッカ６０では、一時保留部４０から排出された順番で定型小切手を収納する。このような処理形態を取ることにより、小切手入金機１においては、取り込み部１０にセットした順番で定型小切手をスタッカ６０に収納することができる。また、このような処理形態を取ることにより、小切手入金機１においては、取り込み部１０にセットした際の表裏方向で定型小切手をスタッカ６０に収納することができる。取り込み部１０においては、セットされた表裏方向で定型小切手を小切手入金機１内取り込み、一時保留部４０では、小切手入金機１に取り込み時とは逆の表裏方向で定型小切手を収納して一時保留し、収納した表裏方向で定型小切手を排出する。そして、スタッカ６０では、一時保留部４０からの排出時とは逆の表裏方向で定型小切手を収納する。したがって、この小切手入金機１おいてはスタッカ６０に収納された定型小切手の順番および表裏方向が、取り込み部１０にセットした際と同一とされるため、順番の修正や表裏方向の修正といった後処理が不要である。
【００６６】
なお、取り込み部１０において定型小切手を上部から取り込むか下部から取り込むかという取り込み順序や一時保留部４０での収納順序、排出順序などは上記の組み合わせに限定されるものではない。したがって、スタッカ６０に収納された定型小切手の順番および表裏方向が取り込み部１０にセットした際と同一とされる組み合わせであれば適宜変更可能である。
【００６７】
一方ステップＳ２０５に戻って、照合の結果、入金データと入金伝票の入金総額データとが一致しない場合について図１２を用いて説明する。照合の結果、入金データと入金伝票の入金総額データとが一致しない場合は（ステップＳ２０５否定）、すなわち現金処理機２００において小切手入金処理データの正当性が否定された場合は、小切手入金処理データの正当性の確認を促す確認指示情報を指示情報処理部２６１が生成して通信部２６５を介して小切手入金機１に送信する（ステップＳ２０８）。これにより、一度生成した小切手入金処理データをすぐに破棄することなく小切手入金処理データの正当性を確認した後に後処理を決定して所定の入金処理を行うことができるため、処理を簡略化して効率の良い入金処理を行うことが可能である。小切手入金機１では小切手入金処理データの確認指示情報を受信すると、表示部１４０に図１０の画面を表示し、係員に小切手入金処理データの確認処理を要求する。係員は、ステップＳ１０４の場合と同様にして小切手入金機１において小切手入金処理データの確認処理、すなわち小切手入金処理データの正当性、すなわち小切手入金処理データが正しいか否か確認を行い（ステップＳ１０８）、小切手入金処理データの修正が必要であるか否かを判断する（ステップＳ１０９）。
【００６８】
ここで、確認の結果、小切手入金処理データの正当性が確認された場合（小切手入金処理データが正しい場合）は（ステップＳ１０９肯定）、小切手の枚数自体が足りない等の原因が考えられ、現状では入金伝票の入金総額データとの整合は取れないため、図１０の「ＯＣＲ結果確認」の画面において「排出」のボタンを選択して一時保留部４０に保留した定型小切手をリジェクト・排出部１２０に返却し（ステップＳ１１０）、一連の入金処理が終了する。これにより、小切手入金処理データと入金伝票の入金総額データとの整合が取れない小切手、すなわち小切手入金機１においては小切手入金処理データの正当性が認められたが現金処理機２００においては小切手入金処理データの正当性が否定された小切手の入金処理及び収納を確実に防止することができる。一方、確認の結果、小切手入金処理データの正当性が確認されない場合（小切手入金処理データが正しくない場合）は（ステップＳ１０９否定）、係員は、ステップＳ１０４の場合と同様にして小切手入金処理データの修正を行い、修正した小切手入金処理データを生成する（ステップＳ１１１）。そして、修正した小切手入金処理データを現金処理機２００に再度、転送する（ステップＳ１１２）。これにより、一度生成した小切手入金処理データを破棄することなく有効に活用することができ、処理を簡略化して効率の良い入金処理を行うことができる。
【００６９】
ここで、小切手入金処理データの修正を行う場合、ステップＳ１０４の場合と同様にして行うほかに、読み込んで格納部８０に格納したイメージ画像データをステップＳ１０４のときよりも画像表示の精度を高めて表示部１４０に表示することも可能である。このようにイメージ画像データの表示精度を高めることにより、より確実に小切手入金処理データの確認を行うことができる。
【００７０】
また、読み取り・認識部３０が格納部８０に格納されたイメージ画像データからステップＳ１０２の場合よりも高い精度でＯＣＲにより文字を識別して認識データを再生成し、該再生成した認識データを用いて小切手入金処理データを自動で再生成するようにしても良い。
【００７１】
さらに、読み取り・認識部３０が格納部８０に格納されたイメージ画像データからステップＳ１０２と同じ精度でＯＣＲにより文字を識別して認識データを再生成し、該再生成した認識データを用いて小切手入金処理データを自動で再生成するようにしても良い。そして、後述する照合部２６４における再照合の結果、再度データが一致しない場合に、読み取り・認識部３０が格納部８０に格納されたイメージ画像データからステップＳ１０２の場合よりも高い精度でＯＣＲにより文字を識別して認識データを再生成し、該再生成した認識データを用いて小切手入金処理データを自動で再生成するようにしても良い。
【００７２】
現金処理機２００は、修正した小切手入金処理データを受信すると、入金データ生成部２６３において現金処理データと修正した小切手入金処理データとを合算して入金データを再度生成し、照合部２６４において該入金データと入金伝票の入金総額データとの照合を行い、一致するか否かを判断する（ステップＳ２０９）。ここで、入金データと入金伝票の入金総額データとが一致する場合は（ステップＳ２０９肯定）、ステップＳ２０６に戻り処理が進む。これにより、小切手入金処理データを破棄することなく有効に活用することができ、処理を簡略化して効率の良い入金処理を行うことができる。一方、入金データと入金伝票の入金総額データとが一致しない場合は（ステップＳ２０９否定）、現金処理機２００は、指示情報処理部２６１において定型小切手の返却指示情報を生成し、通信部２６５を介して小切手入金機１に送信する。小切手入金機１は、返却指示を受信すると、一時保留部４０に保留した定型小切手をリジェクト・排出部１２０に返却し（ステップＳ１１３）、一連の入金処理が終了する。
【００７３】
以上のように構成された本実施例にかかる小切手入金システムにおいては、小切手の入金処理を行うとともに入金処理した小切手を自動分類して収納し、管理することが可能である。これにより、ミスのない確実な入金処理が可能であり、係員の手作業による小切手の分類処理が不要となり、係員の行う作業を低減するとともに効率良く小切手の入金処理と分類収納処理を行うことが可能である。また、入金処理を行うとともに小切手を自動分類して収納するため、小切手が係員の手元で滞留することがなく、小切手が確実に管理される。したがって、効率良く且つ確実に入金処理と現品処理とを同時に行うことができる。
【００７４】
また、本実施例にかかる小切手入金システムにおいては、小切手入金機１が、現金処理機２００からの転送指示情報に基づいて小切手入金処理データを現金処理機２００に転送した後に該現金処理機２００からの格納指示情報に基づいて小切手入金処理データを格納して入金処理を行う連動入金モードと、現金処理機２００からの格納指示情報に基づいて小切手入金処理データを現金処理機２００に転送せずに格納して入金処理を行うローカル入金モードとを選択可能である。
【００７５】
以上のような２つの入金モードを選択可能とすることにより、現金処理機２００の占有時間を減らすことができ、現金処理機２００を使用するための待ち時間を減らすことができる。すなわち、従来のように現金処理機２００において係員が小切手の入金データを取りまとめてキー入力する方法では、係員の入力処理操作が多く、また係員の計数ミスにより照合に時間がかかったりするため一人の係員が現金処理機を占有する時間が長くなり、現金処理機を使用するための待ち時間が多くなり、処理効率が低下するという問題がある。
【００７６】
しかしながら、本実施例にかかる小切手入金システムにおいては、小切手の入金データの取りまとめを小切手入金機１において行うため、現金処理機２００における処理時間を減らすことができ、一人の係員が現金処理機２００を占有する時間を減らすことができる。そして、現金処理機２００が混み合っているときには、ローカル入金モードを選択して小切手入金処理データの格納、小切手の収納を先に済ませ、その後、現金処理機２００が空いたときに現金処理データと合算入金することで、現金処理機２００での待ち時間が大幅に減少する。
【００７７】
また、現金処理機２００が比較的空いている場合には、連動入金モードを選択して小切手入金処理データの生成から現金処理データと合算入金、小切手入金処理データの格納、小切手の収納までの一連の処理を一括して行うことにより、効率の良い入金処理を行うことができる。
【００７８】
さらに、本実施例にかかる小切手入金システムにおいては、現金処理機２００において入金データと入金伝票の入金総額データとを照合し、入金データと入金伝票の入金総額データとが一致しない場合には指示情報処理部２６１が小切手入金処理データの確認指示情報を生成して小切手入金機１に送信する。そして、小切手入金機１において小切手入金処理データ（認識データ）が正しいか否か確認を行い、正しい場合には一時保留部４０に保留した小切手をリジェクト・排出部１２０に返却する。また、小切手入金処理データ（認識データ）が正しくない場合には、該小切手入金処理データ（認識データ）の修正を行い、修正した小切手入金処理データを用いて入金データと入金伝票の入金総額データとの再照合を行う。そして、照合の結果が一致した場合には入金処理を進め、照合の結果が再度一致しない場合には一時保留部４０に保留した小切手をリジェクト・排出部１２０に返却する。
【００７９】
このような処理を行うことにより、入金データと入金伝票の入金総額データとが一致しない場合においても、一度生成した認識データ（小切手入金処理データ）をすぐに破棄することなく、誤った部分のみを修正し、修正したデータを用いて入金処理を継続することができる。また、小切手入金処理データと入金伝票の入金総額データとの整合が取れない小切手、すなわち小切手入金機１においては小切手入金処理データの正当性が認められたが現金処理機２００においては小切手入金処理データの正当性が否定された小切手のみを返却することができる。したがって、本実施例にかかる小切手入金システムにおいては、処理を簡略化して効率の良い入金処理を行うことが可能である。
【産業上の利用可能性】
【００８０】
本発明にかかる小切手入金システムは、金融機関等における小切手の効率的な入金処理、および入金処理を行った小切手の収納に有用である。
【図面の簡単な説明】
【００８１】
【図１−１】本実施例にかかる小切手入金システムの外観構成例を示す斜視図である。
【図１−２】本実施例にかかる小切手入金機の概略構成を説明する図である。
【図１−３】本実施例にかかる現金処理機が備える構成部を説明する図である。
【図２】小切手のイメージ画像を示す図である。
【図３】一時保留部の一構成例を説明する断面図である。
【図４】第１の巻取りローラの周辺部を示す要部斜視図である。
【図５】第２の巻取りローラへの帳票の収納を説明するための要部斜視図である。
【図６】一時保留部の一構成例を説明する断面図である。
【図７】連動入金モードでの小切手入金機および現金処理機における処理手順を示すフローチャートである。
【図８】小切手入金機で入金処理中の表示部の表示画面の一例を示した図である。
【図９】小切手入金機で入金処理中の表示部の表示画面の一例を示した図である。
【図１０】小切手入金機で入金処理中の表示部の表示画面の一例を示した図である。
【図１１】小切手入金機で入金処理中の表示部の表示画面の一例を示した図である。
【図１２】確認指示を出す場合の小切手入金機および現金処理機における処理手順を示すフローチャートである。
【符号の説明】
【００８２】
１  小切手入金機
１０  取り込み部
１１  小切手挿入口
１２  繰り出しローラ
１３  ホッパ
２０  搬送路
３０  読み取り・認識部
４０  一時保留部
５０  エンドーサ
６０  スタッカ
６１  収納ローラ
７０  主制御部
８０  格納部
９０  修正部
１００  入金処理データ生成部
１１０  収納・排出選択部
１２０  リジェクト・排出部
１２１  排出ローラ
１３０  定形外収納部
１４０  表示部
１５０  操作部
１６０  通信部
１７０  入金モード選択部
【図１−１】
2006155531.tif 000003
【図１−２】
2006155531.tif 000004
【図１−３】
2006155531.tif 000005
【図２】
2006155531.tif 000006
【図３】
2006155531.tif 000007
【図４】
2006155531.tif 000008
【図５】
2006155531.tif 000009
【図６】
2006155531.tif 000010
【図７】
2006155531.tif 000011
【図８】
2006155531.tif 000012
【図９】
2006155531.tif 000013
【図１０】
2006155531.tif 000014
【図１１】
2006155531.tif 000015
【図１２】
2006155531.tif 000016